【手続補正書】
【提出日】平成20年3月12日(2008.3.12)
【手続補正１】
【補正対象書類名】特許請求の範囲
【補正対象項目名】全文
【補正方法】変更
【補正の内容】
【特許請求の範囲】
【請求項１】
互いに組み合わせて無彩色を表現可能な複数の有彩色インクによるインクドットと、黒色インクによるインクドットとを形成してカラー画像を印刷する印刷部に、該各色インクドットの形成を制御する制御情報を出力して、該印刷部を制御する印刷制御装置であって、
カラー画像の各々の色彩と、該色彩を前記有彩色インクおよび前記黒色インクを用いて表現するための各色階調値の組み合わせとを対応付けた色変換テーブルを記憶している色変換テーブル記憶手段と、
カラー画像データを受け取って、前記色変換テーブルを参照して、該カラー画像データを、前記各色インクの階調値の組み合わせに変換する色変換手段と、
前記各色インクの階調値の組み合わせに基づいて、前記制御情報を前記印刷部に出力する制御情報出力手段と
を備え、
前記色変換テーブルは、
前記カラー画像の色彩に対応付けられた前記各色階調値の組み合わせの中で、前記各有彩色インクの階調値と、前記黒色インクの階調値との比率が、該カラー画像の色相に応じた所定値に設定されているテーブルである印刷制御装置。
【請求項２】
互いに組み合わせて無彩色を表現可能な複数の有彩色インクによるインクドットと、黒色インクによるインクドットとを形成してカラー画像を印刷する印刷部に、該各色インクドットの形成を制御する制御情報を出力して、該印刷部を制御する印刷制御装置であって、
カラー画像の各々の色彩と、該色彩を前記有彩色インクおよび黒色インクで表現するための該各色インクの階調値の組み合わせとを対応付ける色変換テーブルを記憶している色変換テーブル記憶手段と、
カラー画像データを受け取って、前記色変換テーブルを参照して、該カラー画像データを前記各色インクの階調値で表現した各色階調データに変換する色変換手段と、
前記各色階調データに基づいて、前記制御情報を前記印刷部に出力する制御信号出力手段と
を備え、
前記色変換テーブルは、所定の明度範囲においては、色相がシアンから青に向かって変化すると、明度が高くなるに従って前記黒色インクの階調値が大きくなるように設定されているテーブルである印刷制御装置。
【請求項３】
互いに組み合わせて無彩色を表現可能な複数の有彩色インクによるインクドットと、黒色インクによるインクドットとを形成してカラー画像を印刷する印刷部に、該各色インクドットの形成を制御する制御情報を出力して、該印刷部を制御する印刷制御装置であって、
カラー画像の各々の色彩と、該色彩を前記有彩色インクおよび黒色インクで表現するための該各色インクの階調値の組み合わせとを対応付ける色変換テーブルを記憶している色変換テーブル記憶手段と、
カラー画像データを受け取って、前記色変換テーブルを参照して、該カラー画像データを前記各色インクの階調値で表現した各色階調データに変換する色変換手段と、
前記各色階調データに基づいて、前記制御情報を前記印刷部に出力する制御信号出力手段と
を備え、
前記色変換テーブルは、所定の明度範囲においては、色相がマゼンタから青に向かって変化すると、明度が高くなるに従って前記黒色インクの階調値が大きくなるように設定されているテーブルである印刷制御装置。
【請求項４】
互いに組み合わせて無彩色を表現可能な複数の有彩色インクによるインクドットと、黒色インクによるインクドットとを形成してカラー画像を印刷する印刷部に、該各色インクドットの形成を制御する制御情報を出力して、該印刷部を制御する印刷制御装置であって、
カラー画像の各々の色彩と、該色彩を前記有彩色インクおよび前記黒色インクを用いて表現するための各色階調値の組み合わせとを対応付けた色変換テーブルを記憶している色変換テーブル記憶手段と、
カラー画像データを受け取って、前記色変換テーブルを参照して、該カラー画像データを、前記各色インクの階調値の組み合わせに変換する色変換手段と、
前記各色インクの階調値の組み合わせに基づいて、前記制御情報を前記印刷部に出力する制御情報出力手段と
を備え、
前記色変換テーブルは、
前記カラー画像の色彩に対応付けられた前記各色階調値の組み合わせの中で、前記各有彩色インクの階調値と、前記黒色インクの階調値との比率が、該カラー画像の色彩の彩度に応じた所定値に設定されているテーブルである印刷制御装置。
【請求項５】
互いに組み合わせて無彩色を表現可能な複数の有彩色インクによるインクドットと、黒色インクによるインクドットとを形成してカラー画像を印刷する印刷部に、該各色インクドットの形成を制御する制御情報を出力して、該印刷部を制御する印刷制御方法であって、
カラー画像の各々の色彩と、該色彩を前記有彩色インクおよび前記黒色インクを用いて表現するための各色階調値の組み合わせとが対応付けられているとともに、該各色階調値の組み合わせの中で、該各有彩色インクの階調値と、該黒色インクの階調値との比率が、該カラー画像の色彩の彩度に応じた所定値となるように設定されている色変換テーブルを記憶しておき、
カラー画像データを受け取って、前記色変換テーブルを参照して、該カラー画像データを、前記各色インクの階調値の組み合わせに変換し、
前記各色インクの階調値の組み合わせに基づいて、前記制御情報を前記印刷部に出力する印刷制御方法。
【請求項６】
互いに組み合わせて無彩色を表現可能な複数の有彩色インクによるインクドットと、黒色インクによるインクドットとを形成してカラー画像を印刷する印刷部に、該各色インクドットの形成を制御する制御情報を出力して、該印刷部を制御するプログラムをコンピュータで読み取り可能に記録した記録媒体であって、
カラー画像の各々の色彩と、該色彩を前記有彩色インクおよび前記黒色インクを用いて表現するための各色階調値の組み合わせとが対応付けられているとともに、該各色階調値の組み合わせの中で、該各有彩色インクの階調値と、該黒色インクの階調値との比率が、該カラー画像の色彩の彩度に応じた所定値となるように設定されている色変換テーブルを記憶しておく機能と、
カラー画像データを受け取って、前記色変換テーブルを参照して、該カラー画像データを、前記各色インクの階調値の組み合わせに変換する機能と、
前記各色インクの階調値の組み合わせに基づいて、前記制御情報を前記印刷部に出力する機能と
を実現するプログラムを記録した記録媒体。
【請求項７】
カラー画像データを受け取り、互いに組み合わせると無彩色を呈する複数の有彩色と黒色とを用いて該カラー画像データの色彩を表現するための、該各色の階調値の組み合わせに変換する画像処理装置であって、
カラー画像の各々の色彩と、該色彩を表現するための前記有彩色および黒色の階調値の組み合わせとを対応付けた色変換テーブルを記憶している色変換テーブル記憶手段と、
カラー画像データを受け取って、前記色変換テーブルを参照して、該カラー画像データを、前記各色階調値の組み合わせに変換する色変換手段と
を備え、
前記色変換テーブルは、
前記カラー画像の色彩に対応付けられた前記各色階調値の組み合わせの中で、前記各有彩色の階調値と、前記黒色の階調値との比率が、該カラー画像の色相に応じた所定値に設定されているテーブルである画像処理装置。
【請求項８】
カラー画像データを受け取り、互いに組み合わせると無彩色を呈する複数の有彩色と黒色とを用いて該カラー画像データの色彩を表現するための、該各色の階調値の組み合わせに変換する画像処理装置であって、
カラー画像の各々の色彩と、該色彩を表現するための前記有彩色および黒色の階調値の組み合わせとを対応付けた色変換テーブルを記憶している色変換テーブル記憶手段と、
カラー画像データを受け取って、前記色変換テーブルを参照して、該カラー画像データを、前記各色階調値の組み合わせに変換する色変換手段と
を備え、
前記色変換テーブルは、
前記カラー画像の色彩に対応付けられた前記各色階調値の組み合わせの中で、前記各有彩色の階調値と、前記黒色の階調値との比率が、該カラー画像の彩度に応じた所定値に設定されているテーブルである画像処理装置。
【請求項９】
カラー画像データを受け取り、互いに組み合わせると無彩色を呈する複数の有彩色と黒色とを用いて該カラー画像データの色彩を表現するための、該各色の階調値の組み合わせに変換する画像処理方法であって、
カラー画像の各々の色彩と、該色彩を表現するための前記有彩色および黒色の階調値の組み合わせとが対応付けられているとともに、該各色階調値の組み合わせの中で、該各有彩色の階調値と、該黒色の階調値との比率が、該カラー画像の色相に応じた所定値となるように設定されている色変換テーブルを記憶しておき、
カラー画像データを受け取って、前記色変換テーブルを参照して、該カラー画像データを、前記各色階調値の組み合わせに変換する画像処理方法。
【請求項１０】
カラー画像データを受け取り、互いに組み合わせると無彩色を呈する複数の有彩色と黒色とを用いて該カラー画像データの色彩を表現するための、該各色の階調値の組み合わせに変換する画像処理方法であって、
カラー画像の各々の色彩と、該色彩を表現するための前記有彩色および黒色の階調値の組み合わせとが対応付けられているとともに、該各色階調値の組み合わせの中で、該各有彩色の階調値と、該黒色の階調値との比率が、該カラー画像の色彩の彩度に応じた所定値となるように設定されている色変換テーブルを記憶しておき、
カラー画像データを受け取って、前記色変換テーブルを参照して、該カラー画像データを、前記各色階調値の組み合わせに変換する画像処理方法。